(57)【要約】      （修正有）【課題】印字に代わり内容液により溶け出さず擦れても消えない目盛を有するスポイト付キャップを提供する。【解決手段】瓶の首部に螺合して閉栓可能な蓋体２と、蓋体２に貫通して設けたスポイト３とからなる。スポイト３は、蓋体２の上方に配置した弾性体により形成された袋体からなる操作部７と、蓋体２から下方に突出する吸上部９とからなる。吸上部９は、上方に開口面、下方に吸上口を有する円筒形状の胴部１０を有し、この開口面は操作部７の袋形状の下方開放部位に接続されている。胴部１０に段部１１を形成した。吸上部９を構成するガラス管自体を加工して目盛として機能させることで、印字を用いずに吸上量を図ることができる。【選択図】図１
0003223051.tif 000002
【実用新案登録請求の範囲】
【請求項１】
瓶の首部に螺合して閉栓可能な蓋体と、該蓋体に貫通して設けたスポイトとからなり、
前記スポイトは、前記蓋体の上方に配置され弾性体により形成した袋体からなる操作部と、前記蓋体から下方に突出するように配置された吸上部とからなり、
前記吸上部は、上方に開口面、下方に吸上口を有する円筒形状の胴部を有し、前記開口面は前記操作部の袋形状の下方開放部位に接続され、
前記胴部に段部を形成したことを特徴とするスポイト付キャップ。
【請求項２】
段部は、胴部の周縁にかけて内方へ突出させた凹み形状であることを特徴とする請求項１に記載のスポイト付キャップ。
【請求項３】
段部の外周側上端から外周側下縁までの長さは胴部の厚みに比して２倍以下とし、
前記段部の内周側の突出長さは前記胴部の厚み以下であることを特徴とする請求項２に記載のスポイト付キャップ。
【請求項４】
操作部は、内周面に形成した円環状の第１の凹部と、該第１の凹部よりも下方の外周面に形成した円環状の第２の凹部とを有し、
蓋体は天板部の中央に円形状の貫通孔を有し、該貫通孔の周縁部を前記第２の凹部に嵌め込み固定し、
胴部は上端部に円環状の鍔を外周に突出して有し、該鍔を前記第２の凹部に嵌め込み固定することを特徴とする請求項１、２または３のいずれか１項に記載のスポイト付キャップ。
【考案の詳細な説明】
【技術分野】
【０００１】
本考案は、蓋体に付属したスポイトにより瓶の内容液を瓶から直接一定量を抽出するキャップに関する。
【背景技術】
【０００２】
従来からスポイト付キャップは存在しており、例えば、特許文献１に示すように、スポイト瓶が知られている。このスポイト瓶は、スポイト本体部側面に先端を基準として、該スポイト瓶に目的の液体の滴数に応じた滴数該当目盛及び数字が付してあることで、本来の所期した容量を確実に摂取することを可能としている。
【先行技術文献】
【特許文献】
【０００３】
【特許文献１】特開２００５−１８７０２８号公報
【考案の概要】
【考案が解決しようとする課題】
【０００４】
特許文献１に示すスポイト瓶などは、目盛及び数値を印字により形成しているため、瓶の内容液によっては目盛や数値が内容液に溶け出すことがあった。この場合、目盛や数値が掠れたり消えてしまうのみならず、溶け出した印字の成分により内容液が変質する問題が生じていた。また瓶の首部に擦れて目盛や数値が掠れたり消えることもあった。そこで、内容液により溶け出さず首部に擦れても消えない目盛を設けることが望まれていた。
【０００５】
本願は、印字に代わり内容液により溶けたり、消えたりせず、目盛が恒久的に存続するもので、かつ、使用に際し耐久性が高く、使い勝手の良い目盛を有するスポイト付キャップを提供することを目的とする。
【課題を解決するための手段】
【０００６】
本考案のスポイト付キャップは、上記課題に鑑み、瓶の首部に螺合して閉栓可能な蓋体と、該蓋体に貫通して設けたスポイトとからなり、前記スポイトは、前記蓋体の上方に配置され弾性体により形成した袋体からなる操作部と、前記蓋体から下方に突出するように配置された吸上部とからなり、前記吸上部は、上方に開口面、下方に吸上口を有する円筒形状の胴部を有し、前記開口面は前記操作部の袋形状の下方開放部位に接続され、前記胴部に段部を形成したことを特徴とする。
【０００７】
また、段部は、胴部の周縁にかけて内方へ突出させた凹み形状であることが好ましい。
【０００８】
また、段部の外周側上端から外周側下縁までの長さは胴部の厚みに比して２倍以下とし、前記段部の内周側の突出長さは前記胴部の厚み以下であることが好ましい。
【０００９】
また、操作部は、内周面に形成した円環状の第１の凹部と、該第１の凹部よりも下方の外周面に形成した円環状の第２の凹部とを有し、蓋体は天板部の中央に円形状の貫通孔を有し、該貫通孔の周縁部を前記第２の凹部に嵌め込み固定し、胴部は上端部に円環状の鍔を外周に突出して有し、該鍔を前記第２の凹部に嵌め込み固定することが好ましい。
【考案の効果】
【００１０】
請求項１に記載の考案により、吸上部を構成するガラス管自体を加工して目盛として機能させることで、印字を用いずに吸上量を量ることができる。さらに、印字で用いていた成分の溶け出し、印字自体の擦れによる消滅を防ぐことができる。
【００１１】
請求項２に記載の考案により、内方に突出する凹み形成とすることにより、切削加工ではなく、絞り加工を応用することで容易に製造が可能になる。この絞り加工を応用することで段部の上下の境界を角の無い曲面形状とし、段部の内径と外径との差である厚みを上下の部位の厚みと同じとして、段部による分裂破損を防止することができる。
【００１２】
請求項３に記載の考案により、段部の上下長さを胴部の厚みの２倍以下とし、段部の突出長さを胴部の厚み以下とすることにより、段部の上下の境界ではなく突出先端部分に掛けて１つの突出部分とするように形成することができる。段部の上下境界ではなく、１つの突出部分として目盛形成することができ、使用者にとって判別し易く、成型し易い目盛を提供することができる。
【００１３】
請求項４に記載の考案により、操作部を容易に取り付けることができ、汎用性の高いスポイト付キャップを提供することが可能になる。
【図面の簡単な説明】
【００１４】
【図１】本考案の第１の実施形態に係るスポイト付キャップの斜視図である。
【図２】スポイト付キャップのＡ−Ａ線断面図である。
【図３】図３の領域Ｂの拡大図である。
【図４】図２のスポイト付キャップを瓶に取り付けた断面模式図である。
【図５】スポイト付キャップの分解斜視図である。
【図６】第２の実施形態に係るスポイト付キャップの斜視図である。
【図７】第３の実施形態に係るスポイト付キャップの斜視図である。
【図８】図７のスポイト付キャップを瓶に取り付けて開栓した正面図である。
【考案を実施するための形態】
【００１５】
本考案の実施形態について図面に基づいて詳細に説明する。
【００１６】
第１の実施形態のスポイト付キャップ１は、図１に示すように、瓶３２の首部３３を覆う蓋体２と、瓶３２の内容液を吸い上げるスポイト３とからなる。スポイト付キャップ１は、図４に示すように、瓶３２の首部３３に螺合して取り付けることによりこの瓶３２を閉栓する。スポイト付キャップ１は瓶３２を閉栓した状態でスポイト３の先端と瓶３２の底部との間に隙間を有し、接触を防止している。なお、瓶３２を基準にスポイト付キャップ１側（首部３３側）を上方、底部側を下方として説明するが、この上下方向は説明の便宜上のものであり、使用状態の上下を特定したり限定したりするものではない。
【００１７】
蓋体２は、図２及び図５に示すように、首部３３の開口を覆う天板部４と、首部３３の外周面を覆う筒部５と、天板部４及び筒部５を覆う装飾部２１とからなる。蓋体２は天板部４及び筒部５が合成樹脂材料からなり、装飾部２１が金属材料からなり、装飾部２１により化粧品用などとして豪奢な外観を形成している。
【００１８】
天板部４は円形の板状であり、外周直径を首部３３のネジ山の外周直径以上としている。天板部４は円の中心に同心で円形状の貫通孔６を有し、貫通孔６の直径を首部３３の内周直径未満としている。
【００１９】
筒部５は天板部４と同心でその外周端から下方に延長する円筒形状である。筒部５の内周面には首部３３のネジ山に螺合するネジ山を有している。スポイト付キャップ１は、図４に示すように、上下に沿った軸周りに回転することで瓶３２に対して脱着自在としている。
【００２０】
装飾部２１は、図２に示すように、天板部４の上面と筒部５の外周面とを連続して覆う冠形状としている。装飾部２１は天板部４の貫通孔６と同寸同形で連通する円形状の連通孔を有している。装飾部２１は、図２及び図５に示すように、下端を筒部５の下端よりも０．５ｍｍ上方に位置するように形成されて、装飾部２１の下端から使用者の指を保護している。
【００２１】
スポイト３は、図１及び図２に示すように、天板部４の貫通孔６に貫通して取り付けられている。スポイト３は、蓋体２から上方に突出する操作部７と、蓋体２から下方に突出する吸上部９とからなる。
【００２２】
操作部７は袋形状に形成される。操作部７は、図２及び図５に示すように、円筒形状の挟持部１７と、挟持部１７の上端に連続し挟持部１７の上開口を閉塞する半球状の天井部１９と、挟持部１７の下端に連続する円筒形状の取付部１８とからなる。
【００２３】
操作部７はシリコンゴム、ブチルゴム、ニトリルゴム、天然ゴムなどのゴムやエラストマーなどの弾性樹脂により形成した弾性体からなる。操作部７は指により挟持部１７の外周面を挟持、押圧して内周面を当接した状態に潰した後、この挟持を解くと元の形状に復帰する程度の弾性を有している。
【００２４】
取付部１８は、その内周面に形成され外周側に凹む円環形状の第１の凹部２６と、第１の凹部２６よりも下方の外周面に形成され外周側に凹む円環形状の第２の凹部２７と、下端部に形成され外周側に突出する円板形状のフランジ２５とからなる。第１の凹部２６と第２の凹部２７とフランジ２５は取付部１８の円筒と同心に形成される。
【００２５】
操作部７は第２の凹部２７に天板部４の貫通孔６の周縁部を嵌め込み、フランジ２５の上面を天板部４の下面に当接して蓋体２に取り付けられる。取付部１８は第１の凹部２６に吸上部９の上端部を固定して取り付けられ、吸上部９の内部と挟持部１７の内部とを連通させている。なおスポイト付キャップ１はフランジ２５の下面に同心で当接する円板形状のパッキンをさらに備えてもよい。
【００２６】
吸上部９は上下方向に沿って軸心Ｓ１を有する円筒状のガラス管からなり、操作部７と同心に取り付けられる。吸上部９は、上面に開口面、下面に吸上口を有する円筒形状の胴部１０を有し、この上面（開口面）は操作部７の袋形状の下方開放部位に接続されている。胴部１０は上端部に同心で円環状の鍔１６を外周に突出して有し、この鍔１６を第１の凹部２６に嵌め込むことによりスポイト３を蓋体２に固定している。
【００２７】
胴部１０は、図２及び図３に示すように、絞り加工によりその周縁にかけて内方へ突出させた凹み形状の段部１１を同心で有している。段部１１は断面円弧形状に内周に突出して、その上下方向の中央を最も括れた位置としている。
【００２８】
段部１１の外周側上端から外周側下縁までの長さＬ１は、胴部１０の厚みＬ２に比して、２倍以下としている。段部１１の内方からの突出長さＬ３は胴部１０の厚みＬ２以下としている。段部１１は胴部１０の蓋体２よりも下方に突出した部位に形成され、胴部１０の上下長の中央よりも下方に位置している。段部１１は操作部７により内容液を吸い上げ可能な上限値の目盛としている。
【００２９】
例えば胴部１０の内周直径を６．５ｍｍとし、胴部１０の厚みＬ２を１．０ｍｍとする場合、段部１１の長さＬ１を１．６ｍｍとして、突出長さＬ３を０．４ｍｍとしている。そして、段部１１の最も括れた位置から吸上部９の下端までの距離Ｌ４を３２．５ｍｍとして、この距離Ｌ４に寸法公差を加味した範囲に段部１１を形成している。
【００３０】
スポイト３は挟持により挟持部１７を押し潰し吸上部９内を負圧にした後、挟持を解き復帰させることにより吸上部９内部に瓶３２の内容液を吸い込ませることができる。吸上部９はその内部の液面が段部１１に至るまで、瓶３２から内容液を抽出することができる。
【００３１】
この抽出による吸上部９の下端から段部１１までの吸入量（抽出量）は、挟持部１７の挟持及び復帰により変化する内容量に相当し、１．０ｍｌ以下（１．０ｍｌを含む）から０．９ｍｌ以上（０．９ｍｌを含む）の範囲としている。内容液が化粧品や食品などである場合、０．９ｍｌとして過剰摂取を防止することが好ましい。
【００３２】
スポイト付キャップ１は吸上部９を構成するガラス管自体を加工して目盛として機能させることで、印字を用いずに吸上量を量ることができる。さらに、印字で用いていた成分の溶け出し、印字自体の擦れによる消滅を防ぐことができる。段部１１を胴部１０の全周に形成したことにより胴部１０をいずれの円周方向から見ても目盛を確認することができる。
【００３３】
そして絞り加工を用いたことにより、胴部１０は段部１１の上下の境界を曲面形状とし、面取りなどの後加工を行わなくても切削加工などと異なり境界に角が無い形状として、上下の境界に惑わされずに段部１１の最も括れた位置を目盛とすることができる。絞り加工が熱処理を伴うことにより切削加工などと異なり残留歪みを軽減することができる。段部１１の内径と外径との差である厚みを胴部１０の他の部位の厚みとほぼ同じ寸法として形成することができて、段部１１が薄肉部位とならず、薄肉部位による分裂破損を回避することができる。
【００３４】
胴部１０の下端部は、図１及び図２に示すように、円形状の吸上口を前方下向きに有する吸い口１２からなる。吸い口１２は、前下方に窄まる中空円錐形状の基部１３と、球形状の先端部１４と、基部１３の下端部に先端部１４を接続する円筒状の連結部１５とからなる。連結部１５は後上方端に基部１３を接続し、前下方端に先端部１４を接続している。
【００３５】
先端部１４は基部１３及び連結部１５により胴部１０の円筒部位の軸心Ｓ１より外周（前方）にずれて位置している。先端部１４の内部流路８は基部１３により胴部１０の内周直径よりも小さい寸法としている。先端部１４の内部流路８はその軸心Ｓ２を胴部１０の軸心Ｓ１に対して角度Ｔ傾斜した姿勢で有し、例えば前方下向きに２５度傾いている。この傾きにより内部流路８の先端開口は胴部１０の軸心Ｓ２から外れて前方下向き（外周下向き）に傾いて位置している。
【００３６】
前方下向きに開口する吸上げ口により、内容液が減少した瓶３２を傾けて内容液を首部３３に寄せた姿勢にして、吸上げ口を瓶３２の内周面に寄せて内容液を容易に抽出することができる。さらに球形状の先端部１４により、先端部１４が瓶３２に曲面で滑らかに接触して吸い口１２や瓶３２の破損を防止している。
【００３７】
以下、他の実施形態の例を説明するが前述した内容と重複する説明は省略する。
【００３８】
第２の実施形態は、図６に示すように、装飾部２１を備えず、表面に滑り止め用の溝２９を設けた蓋体２と、吸い口１２の先端部１４を円筒形状としたスポイト３とからなる。
【００３９】
蓋体２は複数条の溝２９を有している。溝２９は天板部４の上面から放射状に広がり、更に天板部４の外周端から連続して上下方向に沿って筒部５の下端部に至るまで直線形状に形成している。吸上部９は胴部１０の上下方向の寸法を第１実施形態の胴部１０よりも短い寸法としているが、段部１１の下端からの距離Ｌ１は同じ寸法としている。吸い口１２は先端部１４を連結部１５と同心同形に形成された直管形状としている。
【００４０】
第３の実施形態は、図７に示すように、不正開栓防止用のリング体３０を備えた蓋体２と、胴部１０の円筒部位と同心に並ぶ吸い口１２を備えたスポイト３とからなる。吸い口１２は、胴部１０の円筒部位と同心の円錐形状に形成した基部１３と、胴部１０及び基部１３と同心の直筒形状に形成した連結部１５及び先端部１４とからなる。蓋体２は、筒部５の下方に接続部３１を介してリング体３０を接続している。
【００４１】
スポイト付キャップ１は、閉栓状態でリング体３０を首部３３に設けた外周に突出するネックリング３４の外周に嵌め込む。この状態からスポイト付キャップ１を開栓方向に回すことにより、図８に示すように、嵌まり込んだリング体３０に抵抗されて、接続部３１が千切れて、筒部５からリング体３０が分離する。このリング体３０の分離により開栓履歴の有無を外部から認識可能として、不正な開栓を防止している。
【００４２】
なお、これらの実施形態は例示であり、蓋体２とスポイト３との組み合わせは適宜設計され、例えば第３の実施形態の蓋体２と第１の実施形態のスポイト３を組み合わせるなどしてもよい。
【符号の説明】
【００４３】
１…スポイト付キャップ、２…蓋体、３…スポイト、４…天板部、５…筒部、６…貫通孔、７…操作部、９…吸上部、１０…胴部、１１…段部、１６…鍔、２６…第１の凹部、２７…第２の凹部、３２…瓶、３３…首部、Ｌ１…段部の外周側上端から外周側下縁までの長さ、Ｌ２…胴部の厚み、Ｌ３…段部の内方からの突出長さ。
【図１】
0003223051.tif 000003
【図２】
0003223051.tif 000004
【図３】
0003223051.tif 000005
【図４】
0003223051.tif 000006
【図５】
0003223051.tif 000007
【図６】
0003223051.tif 000008
【図７】
0003223051.tif 000009
【図８】
0003223051.tif 000010